(57)【要約】本開示は低帯域ダイポール及びマルチバンド・マルチポート型アンテナ構成を提供し、低帯域ダイポールが４本のダイポールアームを有し、４本のダイポールアームが水平にかつ相互に垂直に「＋」形状に配置され、隣接する２つの相互に垂直なダイポールアームがその間に給電される。アンテナ構成は、主反射体、主反射体に配置された少なくとも１列の低帯域ダイポールアレイ、及び少なくとも１列の低帯域ダイポールアレイに隣接する少なくとも１列の高帯域ダイポールアレイを含み、少なくとも１列の低帯域ダイポールアレイの各列における少なくとも１つの低帯域ダイポールは、以下の：低帯域ダイポールが４本のダイポールアームを有し、４本のダイポールアームが水平にかつ相互に垂直に「＋」形状に配置され、隣接する２つの相互に垂直なダイポールアームがその間に給電されて＋／−４５度偏波を形成する、という条件を満たす。マルチバンド・マルチポート型アンテナ構成は、高帯域及び低帯域ダイポールアームが相互を遮蔽する問題を解決し、低帯域ダイポールの上記構造を採用することによって高帯域及び低帯域ダイポール間の相互結合を低減する。【選択図】  図３−ａ
2019506030.tif 000002
【特許請求の範囲】
【請求項１】
低帯域ダイポールであって、該低帯域ダイポールが４本のダイポールアームを有し、該４本のダイポールアームが水平にかつ相互に垂直に「＋」形状に配置され、隣接する２つの相互に垂直なダイポールアームがその間に給電される、低帯域ダイポール。
【請求項２】
前記給電のモードが、以下の：
結合給電と、
直接給電と
のうちの少なくともいずれか一方を備える、請求項１に記載の低帯域ダイポール。
【請求項３】
前記４本のダイポールアームの少なくとも１つがシート形状である、請求項１に記載の低帯域ダイポール。
【請求項４】
前記４本のダイポールアームの少なくとも１つが柱形状である、請求項１に記載の低帯域ダイポール。
【請求項５】
前記４本のダイポールアームの少なくとも１つが、非中空柱状配線及び中空柱状金属シェルの組合せであり、前記中空柱状金属シェルの断面積が前記非中空柱状配線のものとは異なる、請求項１に記載の低帯域ダイポール。
【請求項６】
戻り電流ループが前記４本のダイポールアームの少なくとも１つに設けられた、請求項１から５のいずれか一項による低帯域ダイポール。
【請求項７】
少なくとも１つの溝が前記４本のダイポールアームの少なくとも１つに設けられた、請求項１から５のいずれか一項による低帯域ダイポール。
【請求項８】
マルチバンド・マルチポート型アンテナ構成であって、該アンテナ構成が、主反射体、該主反射体に配置された少なくとも１列の低帯域ダイポールアレイ、及び該少なくとも１列の低帯域ダイポールアレイに隣接する少なくとも１列の高帯域ダイポールアレイを備え、前記少なくとも１列の低帯域ダイポールの各列は、請求項１から７のいずれか一項に記載の少なくとも１つの低帯域ダイポールを含み、前記低帯域ダイポール及び前記高帯域ダイポールは相互を遮蔽しない、アンテナ構成。
【請求項９】
高帯域ダイポールが前記低帯域ダイポールのうちの少なくとも１つの前記４本のダイポールアームの少なくとも１つの角部に配置され、前記４本のダイポールアームが水平にかつ相互に垂直に「＋」形状に構成された、請求項８に記載のアンテナ構成。
【請求項１０】
前記少なくとも１つの角部に配置された高帯域ダイポールのタイプが異なる、請求項９に記載のアンテナ構成。
【請求項１１】
柱形状の前記少なくとも１のダイポールアームの断面積が、前記アンテナの性能要件に応じて設定される、請求項８から１０のいずれか一項に記載のアンテナ構成。
【請求項１２】
前記中空柱状金属シェルの断面積及び前記非中空柱状配線の断面積が、前記アンテナの前記性能要件に応じてそれぞれ設定される、請求項８から１０のいずれか一項に記載のアンテナ構成。
【発明の詳細な説明】
【技術分野】
【０００１】
本開示は、通信技術の分野に関し、特に、低帯域ダイポール及び低帯域ダイポールを含むマルチバンド・マルチポート型アンテナ構成に関する。
【背景技術】
【０００２】
既存のマルチバンド・マルチポート型アンテナ構成は一般に、図１−ａに示すようにネスト状に構成される。高帯域ダイポールは、低帯域ダイポールの中にある。この種の構成によって、高帯域ダイポールと低帯域ダイポールの間の大きな相互結合が不可避的にもたらされ、これにより、低帯域ダイポールの中に配置された高帯域ダイポールの定在波が悪化し、パターンが歪まされ、分離インジケータのデバッギングが難しくなる。低帯域ダイポールの周辺に配置された高帯域ダイポールも低帯域ダイポールアームによって大きな影響を受け、それは定在波及び分離にはあまり影響しないがパターンに大きく影響し、中高帯域ダイポールは低帯域ダイポールの定在波及び分離にも影響をする。通常、この構成において低帯域ダイポール及び高帯域ダイポールを同時に最適化する必要があり、これは大きな技術的な困難をもたらす。
【０００３】
図１−ｂに示す構成はまた、既存のマルチバンド・マルチポート型アンテナ構成に採用されることも多い。この構成によって、低帯域ダイポールの給電モードに起因して低帯域ダイポールのダイポールアームが高帯域ダイポール上に配置されなければならないことが決まるので、高帯域ダイポールと低帯域ダイポールの間の分離が大きな問題となり、ある帯域では相互結合が高帯域ダイポール及び低帯域ダイポールのパターンの急な悪化を引き起こすことによってこれらの帯域におけるアンテナ性能の急な悪化が起こり、低帯域ダイポールのパターンが広いビーム幅を有することによって顧客の高性能要求を満たすことができなくなる。
【０００４】
したがって、高帯域ダイポールと低帯域ダイポールの間の強い相互結合を解決しつつもマルチバンド・マルチポート型アンテナ構成における高帯域ダイポールと低帯域ダイポールの間の合理的構成の問題をどのようにして解決するかが、当業者によって解決される必要がある問題の１つとなる。
【発明の概要】
【０００５】
本開示の課題は、低帯域ダイポール及び低帯域ダイポールを含むマルチバンド・マルチポート型アンテナ構成を提供することである。
【０００６】
本開示の態様によると、低帯域ダイポールが提供され、低帯域ダイポールは水平にかつ相互に垂直に「＋」形状に配置された４本のダイポールアームを有し、隣接する２本の相互に垂直なダイポールはその間に給電される。
【０００７】
好ましくは、給電モードは、以下の：
結合給電と、
直接給電と
のうちの少なくともいずれか一方を備える。
【０００８】
好ましくは、４本のダイポールアームの少なくとも１つは、シート形状である。
【０００９】
好ましくは、４本のダイポールアームの少なくとも１つは、柱形状である。
【００１０】
好ましくは、４本のダイポールアームの少なくとも１つは非中空柱状配線及び中空柱状金属シェルの組合せであり、中空柱状金属シェルの断面積は非中空柱状配線のものとは異なる。
【００１１】
好ましくは、戻り電流ループは、４本のダイポールアームの少なくとも１つに設けられる。
【００１２】
好ましくは、少なくとも１本の溝は、４本のダイポールアームの少なくとも１つに設けられる。
【００１３】
本開示の他の態様によると、マルチバンド・マルチポート型アンテナ構成も提供され、アンテナ構成は、主反射体、主反射体に配置された少なくとも１列の低帯域ダイポールアレイ、及び少なくとも１列の低帯域ダイポールアレイに隣接する少なくとも１列の高帯域ダイポールアレイを備え、少なくとも１列の低帯域ダイポールの各列は、少なくとも１つの上述の低帯域ダイポールを含み、低帯域ダイポール及び高帯域ダイポールは相互を遮蔽しない。
【００１４】
好ましくは、高帯域ダイポールは低帯域ダイポールのうちの少なくとも１つの４本のダイポールアームの少なくとも１つの角部に配置され、４本のダイポールアームは水平にかつ相互に垂直に「＋」形状に構成される。
【００１５】
より好ましくは、少なくとも１つの角部に配置された高帯域ダイポールのタイプが異なっていてもよい。
【００１６】
好ましくは、柱形状の少なくとも１のダイポールアームの断面積は、アンテナの性能要件に応じて設定される。
【００１７】
好ましくは、中空柱状金属シェルの断面積及び非中空柱状配線の断面積は、アンテナの性能要件に応じてそれぞれ設定される。
【００１８】
本開示は、従来技術に対して以下の効果を有する。
【００１９】
マルチバンド・マルチポート型アンテナ構成の低帯域ダイポールの４本のダイポールアームを水平及び相互に垂直に「＋」形状に構成し、２本の隣接する相互に垂直なダイポール間に給電して＋／−４５度偏波を形成するモードは、高帯域ダイポールアームと低帯域ダイポールアームが相互に遮蔽してしまう問題を解決し、高帯域ダイポールと低帯域ダイポールの間の相互結合を軽減することに役立つ。
【００２０】
また、低帯域ダイポールのダイポールアームの戻り電流ループを設け、低帯域ダイポールのダイポールアームの形状及び断面積を変化させ、又はダイポールアームに溝を開けることの手段によって、高帯域ダイポールと低帯域ダイポールの間の相互結合が減少し、アンテナ構成のパターン性能を向上し、低帯域ダイポールの定在波の帯域幅が変化し、アンテナ構成の性能が向上する。
【００２１】
本開示の他の特徴、課題及び効果は、以下の図面を参照して非限定的な実施形態の以下の詳細な説明を読むことによってより明確となる。
【図面の簡単な説明】
【００２２】
【図１−ａ】図１−ａは、従来のマルチバンド・マルチポート型アンテナ構成の概略構造図を示す。
【図１−ｂ】図１−ｂは、他の従来のマルチバンド・マルチポート型アンテナ構成の概略構造図を示す。
【図２−ａ】図２−ａは、本開示の実施形態による低帯域ダイポールの上面図を示す。
【図２−ｂ】図２−ｂは、本開示の実施形態による低帯域ダイポールの側面図を示す。
【図２−ｃ】図２−ｃは、本開示の好適な実施形態による低帯域ダイポールを示す。
【図２−ｄ】図２−ｄは、本開示の好適な実施形態による低帯域ダイポールを示す。
【図２−ｅ】図２−ｅは、本開示の好適な実施形態による低帯域ダイポールを示す。
【図３−ａ】図３−ａは、本開示の他の実施形態による低帯域ダイポールを含むマルチバンド・マルチポート型アンテナ構成の概略構造図を示す。
【図３−ｂ】図３−ｂは、本開示の他の実施形態によるマルチバンド・マルチポート型アンテナ構成の低帯域ダイポールの１つの角部に配置された高帯域ダイポールの模式図を示す。
【図３−ｃ】図３−ｃは、本開示の他の実施形態によるマルチバンド・マルチポート型アンテナ構成の低帯域ダイポールの２つの角部に配置された２つの異なるタイプの高帯域ダイポールの模式図を示す。
【発明を実施するための形態】
【００２３】
図面における同一又は類似の符号は、同一又は類似の構成要素を示す。
【００２４】
例示的実施形態をより詳細に検討する前に、ここに開示される具体的な構造的及び機能的詳細は単なる例示であって本開示の例示的実施形態を説明する目的のためのものであることが注記される。一方、開示は、多くの代替の形態において具現され得るものであり、ここに説明する実施形態のみに限定されるものとして解釈されるべきではない。
【００２５】
ここで使用される用語は、特定の実施形態を説明する目的のためのみのものであり、例示的実施形態を限定することが意図されているわけではない。ここで使用するように、単数形「ａ」、「ａｎ」及び「ｔｈｅ」は、特に明示の断りがない限り、複数形も同様に含むことが意図され得る。また、ここで使用される用語「含む」及び／又は「備える」は、１以上の他の構成、整数、ステップ、動作、ユニット、構成要素及び／又はその組合せの存在又は付加を除外することなく、記載される構成、整数、ステップ、動作、ユニット及び／又は構成要素の存在を定義することも理解されるべきである。
【００２６】
また、ある代替の実施形態では、言及される機能／動作は、図面に示されるものとは異なる順序で行われ得ることが注記される。例えば、関与する機能／動作に応じて、前後して示される２つの図面は、実際には、実質的に同時に又は場合によっては逆の順序で実行され得る。
【００２７】
断りがない限り、ここで使用される全ての用語（技術用語及び科学用語を含む）は、例示の実施形態が属する技術の当業者によって一般に理解されるものと同じ意味を有する。また、ここでは明示の断りがない限り、例えば、一般に使用される辞書において定義される用語は、関連する技術の文脈におけるそれらの意味に一致する意味を有するものとして解釈されるべきであり、理想化され、又は形式的過ぎる意味として解釈されるべきでない。
【００２８】
本開示を、さらに添付図面を参照して以下に詳細に説明する。なお、本願の実施形態及び実施形態の構成は相反することなく相互に組合せ可能である。
【００２９】
本開示の態様によると、低帯域ダイポールが提供され、低帯域ダイポールは４本のダイポールアームを有し、４本のダイポールアームは水平にかつ相互に垂直に「＋」形状に構成され、隣接する２本の相互に垂直なダイポールがその間に給電される。
【００３０】
これらの実施形態の１つを、例えば、図２−ａ及び２−ｂに示す。
【００３１】
図２−ａに本開示の一実施形態による低帯域ダイポールの上面図を示し、図２−ｂに本開示の実施形態による低帯域ダイポールの側面図を示す。低帯域ダイポール２は水平にかつ相互に垂直に「＋」形状に構成された４本のダイポールアーム２０１を有し、隣接する２本の相互に垂直なダイポールアームがその間に給電される。図２−ｂに示すように、ダイポールアーム２０１は、溶接用の給電ポイント２０２を介して給電線に接続される。特に、ダイポールアームの各々の同じ対応する位置に給電ポイント２０２があり、隣接する２本の相互に垂直なダイポールアームが、＋／−４５度偏波アンテナダイポールを形成するように給電される。
【００３２】
ここで、低帯域ダイポール２の４本のダイポールアームは、水平にかつ相互に垂直に「＋」形状に構成され、水平及び垂直に偏波されたアンテナダイポールと構造的に同様である。一方、２本の隣接する相互に垂直なダイポールアームがその間に設けられ、＋／−４５度偏波アンテナダイポールが形成される。上記構造を有する低帯域アンテナダイポール及び従来の＋／−４５度偏波アンテナダイポールを有する高帯域ダイポールの組合せ構成は、高帯域ダイポールアームと低帯域ダイポールアームの間の相互の遮蔽の問題を解決し、高帯域ダイポールと低帯域ダイポールの間の相互結合を低減する際に有利である。
【００３３】
特に、低帯域ダイポールの２本の隣接する相互に垂直なダイポールアーム間の給電モードは、これに限定されないが、以下を含む。
（１）結合給電。例えば、低帯域ダイポール２における２本の隣接する相互に垂直なダイポールアーム２０１が、結合供給される。図２−ｂに示すように、給電線２０７は給電ポイント２０２を介してダイポールアーム２０１に溶接され、給電線２０７は、図２−ｂにおける給電線部分ｄ１のように給電ポイント２０２から上方に垂直に延在し、中央部には、図２−ｂにおける給電線部分ｄ２と給電線部分ｄ３の間の直角屈曲部のような直角屈曲部がある。給電線部分ｄ４は２本の隣接するダイポールアーム間の結合供給を実現するようにｄ１に平行であり、４本のダイポールアームの電界強度は＋／−４５度偏波アンテナダイポールを形成するようにそれぞれ合成及び重畳され、例えば、図２−ａにおける電界強度２０３及び２０４が重畳及び合成され、電界強度２０５及び２０６が重畳及び合成される。
（２）直接給電。２本の隣接するダイポールアームに直接給電することによって、４本のダイポールアームの電界強度がそれぞれ合成及び重畳されて＋／−４５度偏波アンテナダイポールを形成する。
【００３４】
当業者であれば、上記の給電モードは単に例示として与えられたにすぎず、本開示に適用可能な場合、既存の又は後発の可能な給電モードも本開示の保護範囲内に含まれるべきであり、ここに参照として取り込まれることを理解するはずである。
【００３５】
好ましくは、低帯域ダイポール２の４本のダイポールアームの少なくとも１つは、シート形状である。例えば、図２−ｂに示す低帯域ダイポール２のダイポールアーム２０１はシート形状構造を採用し、シート形状構造を有するダイポールアームは相互に垂直に構成される。ダイポールアームに採用されるシート形状構造は、ダイポールアームにおける溝の構成、アンテナの定在波の最適化、並びにパターン及び交差偏波識別度などの性能を促進し、シート形状構造の使用はより簡便な処理及び設計を与える。
【００３６】
好ましくは、低帯域ダイポール２の４本のダイポールアームの少なくとも１つは、柱形状である。特に、柱状構造は、これに限定されないが、円筒、多角柱などを含み、多角柱は、これに限定されないが、三角柱、四角柱又は複数の辺を有する柱体を含む。例えば、図２−ｃに、本開示の好適な実施形態による低帯域ダイポールを示す。低帯域ダイポール２の４本のダイポールアーム２０１は円筒構造体を採用し、水平にかつ相互に垂直に「＋」形状に構成され、２本の隣接する相互に垂直なダイポールアーム２０１がその間に給電される。
【００３７】
ここで、低帯域ダイポール２の定在波の幅は、ダイポールアーム２０１の柱状構造の断面積を変化させることによって調整可能である。
【００３８】
当業者であれば、上記のダイポールアームの構造的形状は単に例示として与えられたにすぎず、本開示に適用可能な場合、ダイポールアームの既存の又は後発の可能な構造的形状も本開示の保護範囲内に含まれるべきであり、ここに参照として取り込まれることを理解するはずである。
【００３９】
好ましくは、低帯域ダイポール２の４本のダイポールアームの少なくとも１つは非中空柱状配線及び中空柱状金属シェルの組合せであり、中空柱状金属シェルの断面積は非中空柱状配線のものとは異なる。例えば、図２−ｄに、本開示の好適な実施形態による低帯域ダイポールの概略構造図を示し、低帯域ダイポール２のダイポールアームは２つの部分：四角柱の非中空配線及び中空金属シェルからなり、中空柱状金属シェルの断面積は非中空柱状配線のものとは異なる場合、好ましくは、中空柱状金属シェルの断面積が非中空柱状配線のものよりも大きい場合、中空金属シェルは、従来の＋／−４５度偏波アンテナダイポールを用いる高帯域ダイポールとの組合せで構成されている場合に高帯域と低帯域の間の相互結合を打ち消すように戻り電流ループとして動作し得る。
【００４０】
ここで、一方で、上記構造を用いることによって低帯域ダイポール２の定在波の帯域幅を調整することができ、他方で中空柱状金属シェルは高帯域と低帯域の間の相互結合を打ち消すための戻り電流ループを兼ねることができる。
【００４１】
当業者であれば、四角柱を採用する低帯域ダイポールの上記ダイポールアームは単に例として挙げられたものであり、ダイポールアームの既存又は後発の可能な構造も、本開示に適用可能であれば、本開示の範囲に含まれるべきであり、ここに参照として取り込まれることを理解すべきである。さらに、上記の低帯域ダイポール２のダイポールアームを構成する角柱の辺の数は同一であっても、異なっていてもよい。例えば、それは、非中空三角柱と中空三角柱の組合せ、非中空三角柱と中空四角柱の組合せなどであってもよい。柱体の他の異なる組合せも、本開示に適用可能であれば、本開示の範囲内に含まれ、ここに参照により取り込まれるべきである。
【００４２】
好ましくは、戻り電流ループは、低帯域ダイポール２の４本のダイポールアームのうちの少なくとも１つに設けられる。例えば、図２−ｅは、本開示の好適な実施形態による低帯域ダイポールの概略構造図を示す。図２−ｅに示すように、配線２０８の２つの部分が低帯域ダイポール２の４本のダイポールアームからそれぞれ延在し、従来の＋／−４５度偏波アンテナダイポールを用いて高帯域ダイポールとの組合せで構成される場合に高帯域と低帯域の間の相互結合を打ち消すように、ダイポールアームの戻り電流ループを継続し、図２−ｄに示すように、従来の＋／−４５度偏波アンテナダイポールを用いて高帯域ダイポールとの組合せで低帯域ダイポール２が構成される場合に中空金属シェルは戻り電流ループとして作用するとともに高帯域と低帯域の間の相互結合を打ち消すこともできる。
【００４３】
当業者であれば、上記の戻り電流ループの構造は単に例示として与えられたにすぎず、本開示に適用可能な場合、戻り電流ループの既存の又は後発の可能な構造も本開示の保護範囲内に含まれるべきであり、ここに参照として取り込まれることを理解するはずである。
【００４４】
好ましくは、少なくとも１本の溝が、４本のダイポールアームの少なくとも１つに設けられる。例えば、図２―ｂに示すように、１本の溝が、低帯域ダイポールのパターン性能を変化させて低帯域ダイポールの交差偏波識別度比を調整するように４本のダイポールアームの各々にそれぞれ構成される。
【００４５】
ここで、低帯域ダイポールでは、低帯域ダイポールのパターン性能を変化させること及び低帯域ダイポールの交差偏波識別度比を調整することの効果は、溝を設定すること、溝の本数を変化させること又は溝の形状を変化させることによって実現され得る。
【００４６】
当業者であれば、ダイポールアーム上に構成された溝の形状又は本数は単に例示として与えられたにすぎず、溝の本数はアンテナの性能の要件に応じて設定され得る。本開示に適用可能な場合、既存の又は後発の逆溝の形状も本開示の範囲内に含まれ、ここに参照として取り込まれるべきである。
【００４７】
また、低帯域ダイポールは、方向性アンテナに使用され得る。
【００４８】
本開示の他の態様によると、マルチバンド・マルチポート型アンテナ構成が提供され、アンテナ構成は、主反射体、主反射体に配置された少なくとも１列の低帯域ダイポールアレイ、及び少なくとも１列の低帯域ダイポールアレイに隣接する少なくとも１列の高帯域ダイポールアレイを含み、少なくとも１列の低帯域ダイポールアレイの各列が上述の少なくとも１つの低帯域ダイポールを含み、低帯域ダイポール及び高帯域ダイポールは相互を遮蔽しない。
【００４９】
図３−ａに、実施形態の１つを示す。
【００５０】
図３−ａは、上記の低帯域ダイポールを含むマルチバンド・マルチポート型アンテナ構成の概略図を示す。マルチバンド・マルチポート型アンテナ構成３は、主反射体３０１、主反射体３０１上に配置された１列の低帯域ダイポールアレイ３０２、及び１列の低帯域ダイポールアレイ３０２に隣接する２列の高帯域ダイポールアレイ３０３を含み、低帯域ダイポールアレイ３０２は３つの低帯域ダイポール２で構成され、低帯域ダイポール及び高帯域ダイポールは相互を遮蔽しない。図３−ａに示すマルチバンド・マルチポート型アンテナ構成３では、２列の高帯域ダイポールアレイ３０３における高帯域ダイポールが水平方向に直線状に及び垂直方向において直線状に配置され、低帯域ダイポールアレイ３０２も直線状に配置されるので、高帯域ダイポール及び低帯域ダイポールは相互を遮蔽しない。
【００５１】
当業者であれば、上記のマルチバンド・マルチポート型アンテナ構成３の構造は単に例として与えられたにすぎないことを理解すべきである。低帯域ダイポールアレイの数は２列又は３列以上であってもよい。また、低帯域ダイポールアレイ３０２が３つの低帯域ダイポール２で構成されることは、単に例示として与えられるにすぎない。少なくとも１つの低帯域ダイポールアレイの各列は、本開示による１、２又は３以上の低帯域ダイポール２を含むことができ、少なくとも１列の低帯域ダイポールアレイの各列が少なくとも１つの上記のような低帯域ダイポール２を含むことが満たされる限り、本開示に適用可能である。高帯域ダイポールアレイ３０３の数は、要件に応じて設定されてもよく、１列、２列、３列又は多数列であってもよい。さらに、高帯域ダイポールアレイ３０３の２列における高帯域ダイポールは、水平方向に直線状に及び垂直方向に直線状に配置されることも例示として与えられる。高帯域ダイポールアレイ３０３における高帯域ダイポールの構成も、不規則的な構成態様を採用し得る。低帯域ダイポールアレイにおける低帯域ダイポールの構成も不規則的な構成態様を採用することができ、それは、低帯域ダイポールの構成及び高帯域ダイポールが相互を遮蔽しないことが満たされる限り、本開示に適用可能であり、本開示に含まれるべきである。
【００５２】
好ましくは、高帯域ダイポールが少なくとも１つの低帯域ダイポールの４本のダイポールアームの少なくとも１つの角部に配置され、４本のダイポールアームは水平にかつ相互に垂直に「＋」形状に構成される。例えば、図３−ｂは、本開示の態様によるマルチバンド・マルチポート型アンテナ構成の低帯域ダイポールの１つの角部に配置された高帯域ダイポールの概略図を示す。図３−ｂに示すように、１つの高帯域ダイポールが低帯域ダイポール２の１つの角部に配置される。
【００５３】
当業者であれば、低帯域ダイポール２の１つの角部に配置された１つの高帯域ダイポールは単に例示として与えられたにすぎず、１つの高帯域ダイポールは低帯域ダイポール２の任意の２つの角部の各々に配置されてもよいし、１つの高帯域ダイポールは低帯域ダイポール２の任意の３つの角部の各々に配置されてもよいし、又は１つの高帯域ダイポールは低帯域ダイポール２の４つの角部の各々に配置されてもよいことを理解すべきであり、１つの高帯域ダイポールは少なくとも１つの低帯域ダイポール２の少なくとも１つの角部に配置されることが満たされる限り、それは本開示に適用可能であり、また本開示の保護範囲に含まれるべきものである。
【００５４】
好ましくは、少なくとも１つの低帯域ダイポールの少なくとも１つの角部に配置された高帯域ダイポールのタイプは異なっていてもよい。例えば、高帯域ダイポールは、図１−ａに示すように、水平に配置されたシート状構造を採用してもよく、図１−ｂにおける低帯域ダイポールのシート状の構成態様によって直立して構成された高帯域ダイポールのシート状ダイポールアームのような垂直に配置されたシート状構造が採用されてもよい。また、異なるタイプのダイポールアームが、図３−ｃに示すように、少なくとも１つの低帯域ダイポールの異なる角部に配置された高帯域ダイポールについてそれぞれ用いられてもよい。
【００５５】
当業者であれば、上記の高帯域ダイポールのダイポールアームのタイプは単に例示として与えられたにすぎず、本開示に適用可能な場合、既存の又は後発の高帯域ダイポールアームの可能なタイプも本開示の範囲内に含まれるべきであり、ここに参照として取り込まれることを理解するはずである。
【００５６】
好ましくは、柱形状における少なくとも１つのダイポールアームの断面積は、アンテナの性能要件に応じて設定される。例えば、比較的狭い帯域幅のアンテナをユーザが必要とする場合にはダイポールアームの断面積は比較的小さく設定されればよく、比較的広い帯域幅のアンテナをユーザが必要とする場合にはダイポールアームの断面積は比較的大きく設定されればよく、又はダイポールアームは、アンテナの性能要件に応じて柔軟な設定を与えるように複数の断面積の組合せを用いることによって構成される。
【００５７】
当業者であれば、低帯域ダイポールのダイポールアームの上記の構成態様は単に例示として与えられたにすぎず、本開示に適用可能な場合、低帯域ダイポールのダイポールアームの既存の又は後発の可能な構成は本開示の範囲内に含まれるべきであり、ここに参照として取り込まれることを理解するはずである。
【００５８】
好ましくは、中空柱状金属シェルの断面積及び非中空柱状配線の断面積は、アンテナの性能要件に応じてそれぞれ設定される。一般に、比較的広い断面積が、広帯域放射ユニットを設計するのに用いられる。狭帯域の特殊要件を満たす必要がある場合、より細かい断面積が検討され得る。
【００５９】
ここで、マルチバンド・マルチポート型アンテナ構成の低帯域ダイポールの４本のダイポールアームは、水平及び相互に垂直に「＋」形状に構成され、隣接する２本の相互に垂直なダイポールアームはその間に給電されて＋／−４５度偏波を形成し、これは、高帯域ダイポールアームと低帯域ダイポールアームが相互に遮蔽してしまう問題を解決し、高帯域ダイポールと低帯域ダイポールの間の相互結合を軽減することに役立つ。
【００６０】
好ましくは、低帯域ダイポールのダイポールアームの戻り電流ループを設け、低帯域ダイポールのダイポールアームの形状及び断面積を変化させ、又はダイポールアームに溝を開けることの手段によって、高帯域ダイポールと低帯域ダイポールの間の相互結合が減少し、アンテナ構成のパターン性能を向上し、低帯域ダイポールの定在波の帯域幅が変化し、アンテナ構成の性能が向上する。
【００６１】
当業者において、本開示は上記例示の実施形態の詳細に限定されず、本開示は本開示の要旨又は本質的特徴から逸脱することなく他の具体的形態においても実施可能であることは明らかである。したがって、実施形態は、いずれの態様においても例示的なものであって限定的ではないものとしてみなされるべきであり、本開示の範囲は上記の説明ではなく添付の特許請求の範囲によって規定され、したがって、特許請求の範囲並びに開示の均等の意味及び範囲内となる全ての変形は開示によって包含されることが意図されている。特許請求の範囲のいずれの符号も、関与する請求項を限定するものとしてみなされてはならない。さらに、文言「備える」は他の部又はステップを排除せず、単数形は複数形を排除しないことは明らかである。システムの請求項に記載される複数の部又は構成はまた、ソフトウェア又はハードウェアによる１つの部又は構成によって実施され得る。第１、第２などの文言は、名前を示すのに使用され、いかなる特定の順序を示すものでもない。
【図１−ａ】
2019506030.tif 000003
【図１−ｂ】
2019506030.tif 000004
【図２−ａ】
2019506030.tif 000005
【図２−ｂ】
2019506030.tif 000006
【図２−ｃ】
2019506030.tif 000007
【図２−ｄ】
2019506030.tif 000008
【図２−ｅ】
2019506030.tif 000009
【図３−ａ】
2019506030.tif 000010
【図３−ｂ】
2019506030.tif 000011
【図３−ｃ】
2019506030.tif 000012
【国際調査報告】
2019506030.tif 000013
2019506030.tif 000014
2019506030.tif 000015
2019506030.tif 000016
2019506030.tif 000017
2019506030.tif 000018